(57)【要約】【課題】例えばインピーダンス変化を検出する面状のセンサー部や圧力変化を検出する面状のセンサー部を容易に固定することができ、利便性が向上する吸収性物品を提供すること。【解決手段】本発明の尿とりパッド１Ａは、表面シート２と、裏面シート３と、これら両シート２，３間に配された吸収体４とを有する縦長の吸収性本体５を備える。尿とりパッド１Ａは、吸収性本体５の非肌対向面５ｄ側に一枚以上のカバーシート６を備える。尿とりパッド１Ａは、吸収性本体５の長手方向の両端部５ａ，５ｂ又は長手方向に沿う両側部５ｓ，５ｓにおいて、それぞれ、裏面シート３と一枚以上のカバーシート６とが接合部７を介して接合されている。接合部７，７同士は、互いに対向して配されている【選択図】図３
2015027322.tif 000002
【特許請求の範囲】
【請求項１】
肌対向面側に配された表面シートと、非肌対向面側に配された裏面シートと、これら両シート間に配された吸収体とを有する縦長の吸収性本体を備えた吸収性物品であって、
前記吸収性物品は、前記吸収性本体の非肌対向面側に一枚以上のカバーシートを備え、
前記吸収性本体の長手方向の両端部又は長手方向に沿う両側部において、それぞれ、前記裏面シートと前記一枚以上のカバーシートとが接合部を介して接合されており、
前記接合部同士は、互いに対向して配されている吸収性物品。
【請求項２】
前記吸収性物品は、前記吸収性本体の肌対向面側において、該吸収性本体の長手方向に沿う両側部それぞれに配設固定された撥水性のサイドシートを備え、該サイドシートの自由端部には、該吸収性本体の長手方向に伸長状態の立体ギャザー形成用の弾性部材が配設固定されており、
着用時には、前記立体ギャザー形成用の弾性部材の収縮力によって、前記サイドシートの自由端部が起立して立体ギャザーを形成する請求項１に記載の吸収性物品。
【請求項３】
前記吸収性物品は、前記吸収性本体の長手方向に長いシート状のセンサーを、前記裏面シートと前記一枚以上のカバーシートとの間に配して使用される請求項１又は２に記載の吸収性物品。
【請求項４】
互いに対向して配された前記接合部の内の一方は、間隔を設けて接合されており、該間隔に前記センサーのコードが通るようになっている請求項３に記載の吸収性物品。
【請求項５】
互いに対向して配された前記接合部の内の一方は、再締結可能に接合されている請求項１〜４の何れか１項に記載の吸収性物品。
【請求項６】
前記裏面シートは、液難透過性である請求項１〜５の何れか１項に記載の吸収性物品。
【請求項７】
前記一枚以上のカバーシートは、２枚からなり、該２枚のカバーシートは、前記吸収性本体の長手方向に沿う両側部それぞれに配されている請求項１〜６の何れか１項に記載の吸収性物品。
【請求項８】
前記２枚のカバーシートは、前記吸収性物品の長手方向に延びる中心線側の端部同士が重なっている請求項７に記載の吸収性物品。
【請求項９】
前記２枚のカバーシートは、前記吸収性物品の長手方向に延びる中心線側の端部それぞれに、該吸収性本体の長手方向に伸長状態の第２弾性部材が配設固定されている請求項７又は８に記載の吸収性物品。
【請求項１０】
前記立体ギャザー形成用の弾性部材は、その収縮率が、前記第２弾性部材の収縮率よりも大きい請求項９に記載の吸収性物品。
【請求項１１】
前記一枚以上のカバーシートは、前記吸収性本体の長手方向の両端部それぞれに配され、前記吸収性物品の幅方向に延びる中心線に対称に配されている請求項１〜６の何れか１項に記載の吸収性物品。
【請求項１２】
前記吸収性物品は、使い捨ておむつの内側に配されて使用される尿とりパッドであり、前記カバーシートの非肌対向面に、該吸収性物品を前記使い捨ておむつの内側に固定する接着剤が塗工されている請求項１〜１１の何れか１項に記載の吸収性物品。
【発明の詳細な説明】
【技術分野】
【０００１】
本発明は、尿とりパッド等の吸収性物品に関する。
【背景技術】
【０００２】
従来より、尿等の排泄物の処理に伴う経済的、労力的な負担の軽減を目的として、吸収性パッドを使い捨ておむつに重ねて使用することが行われている。吸収性パッドとして、例えば、特許文献１〜２には、液透過性の表面シート、液不透過性の裏面シート、それらシートの間に介在された吸収体を備えた吸収性パッドが記載されている。また、特許文献３には、パンツの内側に重ねて使用される紙おむつが記載されている。
【０００３】
これとは別の技術として、本出願人は、先に、尿とりパッド等の吸収性物品内部の排尿の有無を検知するセンサー部を吸収性物品全体に亘って面状に分布して配し、センサー素子のインピーダンス変化を検出する排泄検知装置を提案した（特許文献４参照）。特許文献４に記載の排泄検知装置によれば、人体の動き等の影響を軽減して、排泄量を精度良く測定することができる。
【先行技術文献】
【特許文献】
【０００４】
【特許文献１】特開２００３−２０４９９１号公報
【特許文献２】特開２０１１−１９５６２号公報
【特許文献３】特開平８−２１５２４０号公報
【特許文献４】特開２０１１−７８７９１号公報
【発明の概要】
【発明が解決しようとする課題】
【０００５】
しかし、特許文献１〜２に記載の吸収性パッド、及び特許文献３に記載の紙おむつには、例えばインピーダンス変化を検出する面状のセンサー部や圧力変化を検出する面状のセンサー部を固定する固定手段について、何ら記載されていない。このような固定手段を具備する吸収性パッドや使い捨ておむつ等の吸収性物品があれば、便利である。
【０００６】
従って、本発明は、前述したニーズを満足し得る吸収性物品を提供することに関するものである。
【課題を解決するための手段】
【０００７】
本発明は、肌対向面側に配された表面シートと、非肌対向面側に配された裏面シートと、これら両シート間に配された吸収体とを有する縦長の吸収性本体を備えた吸収性物品であって、前記吸収性物品は、前記吸収性本体の非肌対向面側に一枚以上のカバーシートを備え、前記吸収性本体の長手方向の両端部又は長手方向に沿う両側部において、それぞれ、前記裏面シートと前記一枚以上のカバーシートとが接合部を介して接合されており、前記接合部同士は、互いに対向して配されている吸収性物品を提供するものである。
【発明の効果】
【０００８】
本発明の吸収性物品によれば、例えばインピーダンス変化を検出する面状のセンサー部や圧力変化を検出する面状のセンサー部を容易に固定することができ、利便性が向上する。
【図面の簡単な説明】
【０００９】
【図１】図１は、本発明の第１実施形態である尿とりパッドを展開型の使い捨ておむつの内側に取り付けた状態を示す斜視図である。
【図２】図２は、本発明の第１実施形態である尿とりパッドにセンサーを固定した状態を示す斜視図である。
【図３】図３は、図２に示す尿とりパッドを伸長させた状態を非肌対向面側から見た平面図である。
【図４】図４は、図３のＩ−Ｉ線断面図である。
【図５】図５は、本発明の第２実施形態の尿とりパッドの断面図である（図４相当図）。
【図６】図６は、本発明の第３実施形態の尿とりパッドの断面図である（図４相当図）。
【図７】図７は、本発明の第４実施形態の尿とりパッドの断面図である（図４相当図）。
【図８】図８は、本発明の第５実施形態の尿とりパッドの断面図である（図４相当図）。
【図９】図９は、本発明の第６実施形態の尿とりパッドの断面図である（図４相当図）。
【図１０】図１０は、本発明の第７実施形態の尿とりパッドの断面図である（図４相当図）。
【図１１】図１１は、本発明の第８実施形態の尿とりパッドを伸長させた状態を非肌対向面側から見た平面図である（図３相当図）。
【図１２】図１２は、本発明の第９実施形態の尿とりパッドを伸長させた状態を非肌対向面側から見た平面図である（図３相当図）。
【図１３】図１３は、本発明の第１０実施形態の尿とりパッドを伸長させた状態を非肌対向面側から見た平面図である（図３相当図）。
【図１４】図１４は、本発明の第１１実施形態の尿とりパッドを伸長させた状態を非肌対向面側から見た平面図である（図３相当図）。
【図１５】図１５は、本発明の第１２実施形態の尿とりパッドを伸長させた状態を非肌対向面側から見た平面図である（図３相当図）。
【図１６】図１６は、本発明の第１３実施形態の尿とりパッドを伸長させた状態を非肌対向面側から見た平面図である（図３相当図）。
【発明を実施するための形態】
【００１０】
以下、本発明の吸収性物品を、その好ましい第１実施形態に基づき、図１〜図４を参照しながら説明する。
第１実施形態の吸収性物品は、図１に示すように、使い捨ておむつ１００の内側に配されて使用される尿とりパッド１Ａ（以下、「尿とりパッド１Ａ」ともいう。）である。尿とりパッド１Ａは、肌対向面側に配された表面シート２と、非肌対向面側に配された裏面シート３と、これら両シート２，３間に配された吸収体４とを有する縦長の吸収性本体５を備えている。尿とりパッド１Ａは、図２に示すように、吸収性本体５の非肌対向面５ｄ側に一枚以上のカバーシート６を備え、図３に示すように、吸収性本体５の長手方向（Ｙ方向）の両端部５ａ，５ｂ又は長手方向（Ｙ方向）に沿う両側部５ｓ，５ｓにおいて、それぞれ、裏面シート３と一枚以上のカバーシート６とが接合部７を介して接合されており、接合部７,７同士は、互いに対向して配されている。
【００１１】
第１実施形態の尿とりパッド１Ａについて、詳述すると、尿とりパッド１Ａの吸収性本体５は、図１，図３に示すように、伸長した状態において、長方形状であり、その長手方向（以下「Ｙ方向」ともいう。Ｙ方向：長手方向（Ｙ方向）に延びる中心線ＣＬ１に平行な方向をいう。）に、着用者の腹側に配される腹側部Ａと、着用者の背側に配される背側部Ｂと、腹側部Ａと背側部Ｂとの間に位置し、着用者の股間部に配される股下部Ｃを有している。尿とりパッド１Ａを内部に取り付ける使い捨ておむつ１００も同様に、尿とりパッド１Ａの吸収性本体５の長手方向（Ｙ方向）に長く形成されており、着用者の腹側に配される腹側部Ａと、着用者の背側に配される背側部Ｂと、腹側部Ａと背側部Ｂとの間に位置し、着用者の股間部に配される股下部Ｃを有している。腹側部Ａ、股下部Ｃ及び背側部Ｂは、おむつ１００を伸長した状態において、おむつ１００の長手方向（Ｙ方向）の全長を略３等分するように区分したときの各領域である。このように、尿とりパッド１Ａの吸収性本体５の長手方向（Ｙ方向）と使い捨ておむつ１００の長手方向（Ｙ方向）とは同方向である。
【００１２】
尚、本明細書においては、長手方向（Ｙ方向）に直交する方向を、吸収性本体５の幅方向、使い捨ておむつ１００の幅方向（Ｘ方向）（以下「Ｘ方向」ともいう。）として説明する。また、本明細書において、「肌対向面」とは、尿とりパッド１Ａを構成する表面シート２或いは使い捨ておむつ１００を構成する後述するおむつ表面シート１０２などの各部材の表裏両面のうち、着用時に着用者の肌側に配される面であり、「非肌対向面」とは、表面シート２或いはおむつ表面シート１０２などの各部材の表裏両面のうち、着用時に着用者の肌側とは反対側に向けられる面である。さらにまた、図１に示す線ＣＬ１は、尿とりパッド１Ａ又は使い捨ておむつ１００の長手方向（Ｙ方向）に延びる中心線であり、また、図１に示す線ＣＬ２は、尿とりパッド１Ａの幅方向（Ｘ方向）に延びる中心線である。
【００１３】
第１実施形態の尿とりパッド１Ａでは、表面シート２、裏面シート３及び吸収体４は、図２及び図３に示すように、吸収性本体５の長手方向（Ｙ方向）に長い長方形状を有している。表面シート２及び裏面シート３は、それぞれ、吸収体４の長手方向（Ｙ方向）に沿う左右両側縁及び長手方向（Ｙ方向）の前後両端縁から外方に延出している。表面シート２は、図３に示すように、その長手方向（Ｙ方向）の寸法が、裏面シート３の長手方向（Ｙ方向）の寸法と同じであるが、図４に示すように、その幅方向（Ｘ方向）の寸法が、裏面シート３の幅方向（Ｘ方向）の寸法より小さくなっている。表面シート２及び裏面シート３は、それぞれ、吸収体４の周縁から外方に延出した延出部において直接的に又は他の部材（尿とりパッド１Ａにおいては後述する立体ギャザー８を形成するサイドシート８１）を介在させ、接着剤又は熱融着等によって互いに接合されており、吸収体４を挟持・固定している。尚、吸収体４は、パルプ繊維等の繊維の集合体に吸水性ポリマーの粒子を保持させてなる吸収性コア４１を、１枚のコアラップシート４２で被覆して形成されている。
【００１４】
また、第１実施形態の尿とりパッド１Ａでは、図４に示すように、吸収性本体５の肌対向面５ｕ側において、吸収性本体５の長手方向（Ｙ方向）に沿う両側部５ｓ，５ｓそれぞれに配設固定された撥水性のサイドシート８１を備え、サイドシート８１の自由端部８１ｆには、吸収性本体５の長手方向（Ｙ方向）に伸長状態の立体ギャザー形成用の弾性部材８２が配設固定されており、着用時には、立体ギャザー形成用の弾性部材８２の収縮力によって、サイドシート８１の自由端部８１ｆが起立して立体ギャザー８を形成する。言い換えれば、吸収性本体５の長手方向（Ｙ方向）に沿う両側部５ｓ，５ｓそれぞれには、吸収性本体５の肌対向面５ｕ側、即ち、表面シート２の肌対向面２ｕにおいて、Ｙ方向に伸長状態で固定された弾性部材８２を有するサイドシート８１が、表面シート２の両側部それぞれに、吸収性本体５の長手方向（Ｙ方向）の全長に亘って配され固定されており、これによって一対の立体ギャザー８,８が形成される。尚、尿とりパッド１Ａの吸収性本体５の長手方向（Ｙ方向）に沿う両側部５ｓ，５ｓそれぞれに、レッグギャザー形成用のレッグ弾性部材（不図示）を長手方向（Ｙ方向）に伸長状態に配し、該レッグ弾性部材（不図示）の収縮によりレッグギャザーが形成されるようにしてもよい。
【００１５】
また、第１実施形態の尿とりパッド１Ａでは、吸収性本体５の非肌対向面５ｄ側に配される一枚以上のカバーシート６が、図２，図３に示すように、２枚からなる。２枚のカバーシート６,６は、吸収性本体５の長手方向（Ｙ方向）に沿う両側部５ｓ，５ｓそれぞれに配されている。具体的には、２枚のカバーシート６,６は、それぞれ、長手方向（Ｙ方向）に長い長方形状を有しており、吸収性本体５の長手方向（Ｙ方向）の全長に亘って配されている。そして、２枚のカバーシート６,６は、それぞれ、吸収性本体５の長手方向（Ｙ方向）に沿う側部５ｓにおいて、裏面シート３の非肌対向面と接合部７を介して接合されている。
【００１６】
第１実施形態の尿とりパッド１Ａでは、図３に示すように、接合部７は、吸収性本体５の長手方向（Ｙ方向）に沿う側部５ｓの側縁、即ち、裏面シート３の長手方向（Ｙ方向）に沿う側縁及びカバーシート６の長手方向（Ｙ方向）に沿う外側縁に沿って、吸収性本体５の長手方向（Ｙ方向）の全長に亘って帯状に配された第１接合部７１を有している。また、接合部７は、吸収性本体５の長手方向（Ｙ方向）の腹側部Ａ側の端部５ａの端縁、即ち、裏面シート３の長手方向（Ｙ方向）の腹側部Ａ側の端縁及びカバーシート６の長手方向（Ｙ方向）の腹側部Ａ側の端縁に沿って、カバーシート６の全幅に亘って帯状に配された第２接合部７２を有している。さらに、接合部７は、吸収性本体５の長手方向（Ｙ方向）の背側部Ｂ側の端部５ｂの端縁、即ち、裏面シート３の長手方向（Ｙ方向）の背側部Ｂ側の端縁及びカバーシート６の長手方向（Ｙ方向）の背側部Ｂ側の端縁に沿って、カバーシート６の全幅に亘って帯状に配された第３接合部７３を有している。ここで、「側縁」とは吸収性本体５の輪郭における長手方向（Ｙ方向）に延びる縁（略長方形状の吸収性本体にあっては、長い二辺）を意味し、「側部」とは幅方向（Ｘ方向）における側縁近傍の領域を意味する。また、「端縁」とは吸収性本体５の輪郭における幅方向（Ｘ方向）に延びる縁（略長方形状の吸収性本体にあっては、短い二辺）を意味し、「端部」とは長手方向（Ｙ方向）における端縁近傍の領域を意味する。
【００１７】
上述したように、第１実施形態の尿とりパッド１Ａでは、吸収性本体５の長手方向（Ｙ方向）の両端部５ａ，５ｂ及び長手方向（Ｙ方向）に沿う両側部５ｓ，５ｓにおいて、それぞれ、裏面シート３と２枚のカバーシート６，６とが接合部７（第１接合部７１、第２接合部７２及び第３接合部７３）を介して接合されており、接合部７,７同士は、互いに対向して配されている。詳述すると、図３に示すように、吸収性本体５の長手方向（Ｙ方向）に沿う両側部５ｓ，５ｓに配された第１接合部７１，７１同士が、長手方向（Ｙ方向）に延びる中心線ＣＬ１に対して、互いに対向して配されている。そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
【００１８】
また、第１実施形態の尿とりパッド１Ａでは、図３に示すように、互いに対向して配された接合部７,７の内の一方は、間隔７４を設けて接合されている。具体的には、幅方向（Ｘ方向）に延びる中心線ＣＬ２に対して、互いに対向して配された第２接合部７２及び第３接合部７３の内の一方の第２接合部７２は、間隔７４を設けて接合されている。即ち、第２接合部７２の間隔７４に対応する部分においては、カバーシート６と裏面シート３とは接合されておらず、間隔７４には、例えば、後述するセンサー１０のコード１１が通るようになっている。
【００１９】
第１実施形態の尿とりパッド１Ａでは、２枚のカバーシート６，６は、図３，図４に示すように、尿とりパッド１Ａの長手方向（Ｙ方向）に延びる中心線ＣＬ１側の端部６ｆ，６ｆ同士が重なっている。尚、吸収性本体５の長手方向（Ｙ方向）の両端部５ａ，５ｂにおいては、２枚のカバーシート６，６の端部６ｆ，６ｆ同士が重なっている部分は、接着剤又は熱融着等によってカバーシート６，６同士が互いに接合されている。
【００２０】
また、第１実施形態の尿とりパッド１Ａでは、２枚のカバーシート６,６は、尿とりパッド１Ａの長手方向（Ｙ方向）に延びる中心線ＣＬ１側の端部６ｆ，６ｆそれぞれに、尿とりパッド１Ａの長手方向（Ｙ方向）に伸長状態の第２弾性部材６１が配設固定されている。具体的には、カバーシート６の長手方向（Ｙ方向）に延びる中心線ＣＬ１側の端部６ｆは、股下部Ｃに配された伸長状態の第２弾性部材６１を包むように、吸収性本体５の長手方向（Ｙ方向）の全長に亘って裏面シート３側に折り返されて、伸長状態の第２弾性部材６１を接着剤等によって固定している。
【００２１】
上述したように、第１実施形態の尿とりパッド１Ａでは、図４に示すように、吸収性本体５の肌対向面５ｕ側に立体ギャザー８を有し、吸収性本体５の非肌対向面５ｄ側に２枚のカバーシート６,６を有している。そして、立体ギャザー形成用の弾性部材８２は、その収縮率が、使用時の立体ギャザー８の収縮を阻害し難く、着用時に立体ギャザー８の収縮力によって舟形形状となる吸収性本体５の形状を維持させる観点から、カバーシート６の端部６ｆに配設固定された第２弾性部材６１の収縮率よりも大きくなっている。立体ギャザー形成用の弾性部材８２の収縮率は、第２弾性部材６１の収縮率の１．０倍以上であることが好ましく、第２弾性部材６１の収縮力の１．２倍以上であることが更に好ましく、そして、第２弾性部材６１の収縮力の２．０倍以下であることが好ましく、第２弾性部材６１の収縮力の１．８倍以下であることが更に好ましく、具体的には、１．０〜２．０倍が好ましく、１．２〜１．８倍が更に好ましい。立体ギャザー８の収縮率及びカバーシート６の端部６ｆに配設固定された第２弾性部材６１の収縮率は、伸長状態で伸長状態の寸法（ａ）を測定した後、切り取り、切り取った片の収縮状態での寸法（ｂ）を測定し、比率（ａ／ｂ）から収縮率を算出する。切り取りが困難な場合は、伸長状態の所定寸法と収縮状態での寸法を測定し算出することも可能である。
【００２２】
第１実施形態の尿とりパッド１Ａは、図１に示すように、例えば、吸収性本体５の長手方向（Ｙ方向）に長いシート状のセンサー１０を、裏面シート３とカバーシート６,６との間のポケットに配して使用される。そして、シート状のセンサー１０が、コード１１を有している場合には、第２接合部７２の間隔７４にコード１１を通して使用される。尚、吸収性本体５は、その外周縁が、シート状のセンサー１０の外周縁よりも広く形成されている。シート状のセンサー１０としては、例えば、本出願人が出願した特開２０１１−７８７９１号公報に記載の排泄検知装置の有する、複数のセンサー素子が面状に分散配置され各センサー素子がインピーダンス変化を検知するセンサー部、或いは  体圧変化を検出する面状シート等が挙げられる。
【００２３】
次に、尿とりパッド１Ａを内側に重ねて使用する使い捨ておむつ１００について詳述する。
使い捨ておむつ１００は、図１に示すように、尿とりパッド１Ａが取り付けられるおむつ表面シート１０２と、最も非肌対向面側に配されたおむつ裏面シート１０３と、これら両シート１０２，１０３間に配されたおむつ吸収体１０４とを有している。また、使い捨ておむつ１００は、おむつ吸収体１０４の幅方向（Ｘ方向）外方に、レッグギャザー形成用のおむつレッグ弾性部材（不図示）を長手方向（Ｙ方向）に伸長状態に配し、該おむつレッグ弾性部材（不図示）の収縮によりおむつレッグギャザー１０５が形成されている。
【００２４】
おむつ吸収体１０４は、図１に示すように、例えば、使い捨ておむつ１００の内側に重ねて使用される尿とりパッド１Ａよりも広く、腹側領域Ａの左右両側縁及び背側領域Ｂの左右両側縁それぞれが股下領域Ｃの左右両側縁よりも幅方向（Ｘ方向）外方に延出している。そして、股下領域Ｃの左右両側縁が幅方向（Ｘ方向）内方に向かって円弧状に湾曲しており、全体として長手方向（Ｙ方向）中央部が内方に括れた形状を有している。尚、おむつ吸収体１０４は、尿とりパッド１Ａの吸収体４と同様に、パルプ繊維等の繊維の集合体に吸水性ポリマーの粒子を保持させてなる吸収性コアを、１枚のコアラップシートで被覆して形成されている。
【００２５】
おむつ表面シート１０２及びおむつ裏面シート１０３は、それぞれ、おむつ吸収体１０４の長手方向（Ｙ方向）に沿う左右両側縁及び長手方向（Ｙ方向）の前後両端縁から外方に延出しており、おむつ吸収体１０４の周縁から外方に延出した延出部において直接的に接着剤又は熱融着等によって互いに接合されており、おむつ吸収体１０４を挟持・固定している。
【００２６】
以上のように形成された使い捨ておむつ１００は、図１に示すように、全体として長手方向（Ｙ方向）中央部が内方に括れた形状を有している。使い捨ておむつ１００は、いわゆる展開型のおむつであり、背側領域Ｂの左右両側縁部に二対のファスニングテープ１０６，１０６が設けられ、腹側領域Ａの外表面（非肌対向面）に、該ファスニングテープ１０６，１０６を止着させるランディングテープ（不図示）が設けられている。
【００２７】
第１実施形態の尿とりパッド１Ａの形成材料及び尿とりパッド１Ａを取り付ける使い捨ておむつ１００の形成材料について説明する。
尿とりパッド１Ａの表面シート２及び使い捨ておむつ１００のおむつ表面シート１０２、並びに尿とりパッド１Ａの吸収体４及び使い捨ておむつ１００のおむつ吸収体１０４としては、それぞれ、従来、使い捨ておむつ、生理用ナプキン等の吸収性物品に用いられるもの等を、特に制限なく用いることができる。例えば、表面シート２及びおむつ表面シート１０２としては、親水性且つ液透過性の不織布や立体開孔フィルム等を用いることができる。また、吸収体４を構成する吸収性コア４１及びおむつ吸収体１０４を構成する吸収性コアとしては、パルプ繊維等の繊維の集合体に吸収ポリマーの粒子を保持させたもの等を用いることができ、吸収体４を構成する被覆材４２及びおむつ吸収体１０４を構成する被覆材としては、親水性シート、例えば、透水性の薄紙（ティッシュペーパー）や透水性の不織布からなるコアラップシート等を用いることができる。尚、立体ギャザー８を構成する撥水性のサイドシート８１としては、不織布、織物又は不織布とフィルムの積層シート等を用いることができる。
【００２８】
また、尿とりパッド１Ａの裏面シート３及び使い捨ておむつ１００のおむつ裏面シート１０３としては、液難透過性（撥水性を含む）の樹脂フィルム、或いは該樹脂フィルムに、各種製法による不織布（例えば、エアスルー不織布、スパンボンド不織布、スパンレース不織布、ニードルパンチ不織布等）を積層したシート等を用いることができる。ここで、液難透過性とは、液不透過性を含む。従来のセンサー素子が直接尿と接することにより排尿を検知するセンサーは、その性質上、尿とりパッドの吸収体内に配置せざるを得ず、該パッドごと使い捨てるため高額という問題があった。一方、本出願人が出願した特開２０１１−７８７９１号公報に記載のセンサーは、センサー素子が直接尿に接しなくても排尿を検知することができる。そのため、尿とりパッド１Ａの裏面シート３が、液難透過性のシートで形成されていれば、例えば、シート状のセンサー１０を、裏面シート３とカバーシート６,６との間のポケットに配して尿とりパッド１Ａを使用する場合に、センサー１０を体液で濡らし難く、衛生的に繰り返し使用が可能となる。
【００２９】
また、尿とりパッド１Ａのカバーシート６としては、裏面シート３と同様に、液難透過性（撥水性を含む）の樹脂フィルム、或いは該樹脂フィルムに、各種製法による不織布（例えば、エアスルー不織布、スパンボンド不織布、スパンレース不織布、ニードルパンチ不織布等）を積層したシート等を用いることができる。これらのシート材料の中で、尿とりパッド１Ａの最外面の肌触りを良くする観点から、特に不織布を用いることが好ましい。また、尿とりパッド１Ａのカバーシート６が、裏面シート３と同様に、液難透過性のシートで形成されていれば、センサー１０を体液で濡らし難くなる。
カバーシート６にシート状のセンサー１０を固定するため、カバーシート６の内面（肌対向面側）に接着剤を塗布しておくこともできる。その場合、裏面シート３の、カバーシート６の接着剤を塗布した面に対向する箇所には、剥離処理が施されていることが好ましい。
【００３０】
また、尿とりパッド１Ａの接合部７としては、接着剤或いは熱融着等を利用して形成することができる。接着剤としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。熱融着としては、使い捨ておむつ等の吸収性物品に用いられるものであれば、特に制限なく用いることができ、例えば、高周波シール、超音波シールを用いることができる。
尚、接合部７以外の各部材の固定に用いられる接着剤としては、接合部７を形成する接着剤と同様の接着剤を用いることができる。
【００３１】
尿とりパッド１Ａの立体ギャザー形成用の弾性部材８２、尿とりパッド１Ａのカバーシート６の第２弾性部材６１、及び使い捨ておむつ１００のレッグギャザー１０５形成用のおむつレッグ弾性部材（不図示）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３２】
上述した本発明の第１実施形態の尿とりパッド１Ａを使用した際の作用効果について説明する。
尿とりパッド１Ａは、図２に示すように、一枚以上のカバーシート６を備え、吸収性本体５の長手方向（Ｙ方向）の両端部５ａ，５ｂ又は長手方向（Ｙ方向）に沿う両側部５ｓ，５ｓにおいて、それぞれ、裏面シート３と一枚以上のカバーシート６とが接合部７を介して接合されており、接合部７，７同士は、互いに対向して配されている。そのため、裏面シート３と一枚以上のカバーシート６との間にポケットを形成することができ、該ポケットに、例えばインピーダンス変化を検出する面状のセンサー部や圧力変化を検出する面状のセンサー部を容易に固定することができるので、利便性が向上する。具体的には、尿とりパッド１Ａがシート状のセンサー１０を裏面シート３と一枚以上のカバーシート６との間のポケットに収容して使用される場合、該ポケットにセンサー１０を収容し易いので、尿とりパッド１Ａの利便性が向上する。また、このようにセンサー１０が配された尿とりパッド１Ａを、図１に示すように、使い捨ておむつ１００の内側に重ねて使用すれば、センサー１０が固定され易く、センサー素子のインピーダンス変化を正確に検出し易く、おむつ１００の内部の尿量や尿の分布を精度よく検知することができる。
【００３３】
また、尿とりパッド１Ａは、図２に示すように、吸収性本体５の肌対向面側に立体ギャザー８を有しているので、体液が横漏れし難く、おむつ内に排泄された尿量をより精度よく検知することができ、また、前記ポケットに収納する例えばインピーダンス変化を検出する面状のセンサー部や圧力変化を検出する面状のセンサー部が体液で汚れ難くなる。
【００３４】
また、尿とりパッド１Ａは、図２に示すように、カバーシート６が２枚からなり、これら２枚のカバーシート６，６が吸収性本体５の両側部５ｓ，５ｓに配されている。そして、２枚のカバーシート６，６は、長手方向（Ｙ方向）に延びる中心線ＣＬ１側の端部６ｆ，６ｆ同士が重なっている。そのため、裏面シート３と２枚のカバーシート６，６との間に形成されたポケットの内部に体液が侵入し難く、該ポケットに配された面状のセンサー部等を汚し難い。特に、２枚のカバーシート６,６それぞれの端部６ｆ，６ｆには、伸長状態の第２弾性部材６１が配設固定されているので、更に前記ポケットの内部に体液が侵入し難く、該ポケットに配された面状のセンサー部等を更に汚し難い。また、該ポケットに配された面状のセンサー部等が不意に落下し難く、ズレが生じにくいため、尿量や尿の分布をより精度よく検知することができる。
【００３５】
また、尿とりパッド１Ａは、図３に示すように、幅方向（Ｘ方向）に延びる中心線ＣＬ２に対して、互いに対向して配された第２接合部７２及び第３接合部７３の内の一方の第２接合部７２に、間隔７４が設けられている。その為、裏面シート３と一枚以上のカバーシート６との間のポケットに、例えばセンサー１０を収容する際、センサー１０のコード１１を間隔７４に通すことができるので、便利である。
【００３６】
次に、本発明の第２〜第１３実施形態の尿とりパッド１Ｂ〜１Ｍについて説明する。第２〜第１３実施形態の尿とりパッド１Ｂ〜１Ｍは、カバーシート６の形態又は接合部７の形態が、第１実施形態の尿とりパッド１Ａと異なる。第２〜第１３実施形態の尿とりパッド１Ｂ〜１Ｍについては、第１実施形態の尿とりパッド１Ａと異なる点について主として説明し、同様の点については同一の符号を付して説明を省略する。特に言及しない点については、第１実施形態の尿とりパッド１Ａに関する説明が適宜適用される。また、第２〜第１３実施形態の尿とりパッド１Ｂ〜１Ｍの効果については、第１実施形態の尿とりパッド１Ａの効果と異なる点について説明し、特に説明しない点は、尿とりパッド１Ａの効果と同様であり、尿とりパッド１Ａの効果の説明が適宜適用される。
【００３７】
第２実施形態の尿とりパッド１Ｂにおいては、尿とりパッド１Ａと同様に、吸収性本体５の非肌対向面５ｄ側に配される一枚以上のカバーシート６が、図５に示すように、２枚からなり、２枚のカバーシート６,６が、吸収性本体５の長手方向（Ｙ方向）に沿う両側部５ｓ，５ｓそれぞれに配されている。そして、第２実施形態の尿とりパッド１Ｂにおいては、尿とりパッド１Ａと同様に、接合部７は、吸収性本体５の長手方向（Ｙ方向）に沿う側部５ｓの側縁に沿って帯状の第１接合部７１を有し、吸収性本体５の長手方向（Ｙ方向）の腹側部Ａ側の端部５ａの端縁に沿って帯状の第２接合部７２を有し、更に吸収性本体５の長手方向（Ｙ方向）の背側部Ｂ側の端部５ｂの端縁に沿って帯状の第３接合部７３を有している。そして、尿とりパッド１Ｂにおいては、尿とりパッド１Ａと同様に、吸収性本体５の長手方向（Ｙ方向）に沿う両側部５ｓ，５ｓに配された第１接合部７１，７１同士が、長手方向（Ｙ方向）に延びる中心線ＣＬ１に対して、互いに対向して配され、そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
【００３８】
また、第２実施形態の尿とりパッド１Ｂにおいては、尿とりパッド１Ａと同様に、図５に示すように、２枚のカバーシート６，６の端部６ｆ，６ｆ同士が重なっている。しかし、第２実施形態の尿とりパッド１Ｂにおいては、尿とりパッド１Ａと異なり、図５に示すように、２枚のカバーシート６,６の端部６ｆ，６ｆそれぞれに第２弾性部材６１が配設固定されていない。このように、第２実施形態の尿とりパッド１Ｂにおいては、カバーシート６の端部６ｆに伸長状態の第２弾性部材６１が配設固定されていないので、ギャザーが形成されず、見栄え良く、裏面シート３とカバーシート６との間のポケットに、例えばインピーダンス変化を検出する面状のセンサー部や圧力変化を検出する面状のセンサー部を収納することができる。
また、２枚のカバーシート６，６の重なっている箇所を固定するために、重なっている箇所に接着剤や面ファスナを設けることが好ましい。
【００３９】
次に、第３実施形態の尿とりパッド１Ｃにおいては、尿とりパッド１Ａと同様に、吸収性本体５の非肌対向面５ｄ側に配される一枚以上のカバーシート６が、図６に示すように、２枚からなり、２枚のカバーシート６,６が、吸収性本体５の長手方向（Ｙ方向）に沿う両側部５ｓ，５ｓそれぞれに配されている。そして、第３実施形態の尿とりパッド１Ｃにおいては、尿とりパッド１Ａと同様に、接合部７は、吸収性本体５の長手方向（Ｙ方向）に沿う側部５ｓの側縁に沿って帯状の第１接合部７１を有し、吸収性本体５の長手方向（Ｙ方向）の腹側部Ａ側の端部５ａの端縁に沿って帯状の第２接合部７２を有し、更に吸収性本体５の長手方向（Ｙ方向）の背側部Ｂ側の端部５ｂの端縁に沿って帯状の第３接合部７３を有している。そして、尿とりパッド１Ｃにおいては、尿とりパッド１Ａと同様に、吸収性本体５の長手方向（Ｙ方向）に沿う両側部５ｓ，５ｓに配された第１接合部７１，７１同士が、長手方向（Ｙ方向）に延びる中心線ＣＬ１に対して、互いに対向して配され、そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
【００４０】
しかし、第３実施形態の尿とりパッド１Ｃにおいては、尿とりパッド１Ａと異なり、図６に示すように、２枚のカバーシート６，６の端部６ｆ，６ｆ同士が面一で重なっている。そして、第２実施形態の尿とりパッド１Ｂにおいては、尿とりパッド１Ａと異なり、図６に示すように、２枚のカバーシート６,６の端部６ｆ，６ｆそれぞれに第２弾性部材６１が配設固定されていない。このように、第３実施形態の尿とりパッド１Ｃにおいては、２枚のカバーシート６，６の端部６ｆ，６ｆ同士が面一となっているので、
重なり部分を広げすに入れることができるのでセンサーシート１０を挿入しやすいとの効果を奏し、更に、カバーシート６の端部６ｆに伸長状態の第２弾性部材６１が配設固定されていないので、尿とりパッド立体ギャザー８の収縮を阻害することがない。
【００４１】
次に、第４実施形態の尿とりパッド１Ｄにおいては、尿とりパッド１Ａと同様に、吸収性本体５の非肌対向面５ｄ側に配される一枚以上のカバーシート６が、図７に示すように、２枚からなり、２枚のカバーシート６,６が、吸収性本体５の長手方向（Ｙ方向）に沿う両側部５ｓ，５ｓそれぞれに配されている。そして、第４実施形態の尿とりパッド１Ｄにおいては、尿とりパッド１Ａと同様に、接合部７は、吸収性本体５の長手方向（Ｙ方向）に沿う側部５ｓの側縁に沿って帯状の第１接合部７１を有し、吸収性本体５の長手方向（Ｙ方向）の腹側部Ａ側の端部５ａの端縁に沿って帯状の第２接合部７２を有し、更に吸収性本体５の長手方向（Ｙ方向）の背側部Ｂ側の端部５ｂの端縁に沿って帯状の第３接合部７３を有している。そして、尿とりパッド１Ｄにおいては、尿とりパッド１Ａと同様に、吸収性本体５の長手方向（Ｙ方向）に沿う両側部５ｓ，５ｓに配された第１接合部７１，７１同士が、長手方向（Ｙ方向）に延びる中心線ＣＬ１に対して、互いに対向して配され、そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
【００４２】
しかし、第４実施形態の尿とりパッド１Ｄにおいては、尿とりパッド１Ａと異なり、図７に示すように、２枚のカバーシート６，６の端部６ｆ，６ｆ同士が幅方向（Ｘ方向）に間隔を空けて配されている。そして、第４実施形態の尿とりパッド１Ｄにおいては、尿とりパッド１Ａと異なり、図７に示すように、２枚のカバーシート６,６の端部６ｆ，６ｆそれぞれに第２弾性部材６１が配設固定されていない。このように、第４実施形態の尿とりパッド１Ｄにおいては、２枚のカバーシート６，６の端部６ｆ，６ｆ同士が間隔を空けて配されているので、裏面シート３とカバーシート６との間のポケットに、例えばインピーダンス変化を検出する面状のセンサー部や圧力変化を検出する面状のセンサー部を収納する際に、入れ易い。また、カバーシート６の端部６ｆに伸長状態の第２弾性部材６１が配設固定されていないので、尿とりパッド立体ギャザー８の収縮を阻害することがない。
【００４３】
次に、第５〜第７実施形態の尿とりパッド１Ｅ〜１Ｇにおいては、尿とりパッド１Ａと同様に、吸収性本体５の非肌対向面５ｄ側に配される一枚以上のカバーシート６が、図８〜図１０に示すように、２枚からなり、２枚のカバーシート６,６が、吸収性本体５の長手方向（Ｙ方向）に沿う両側部５ｓ，５ｓそれぞれに配されている。そして、第５〜第７実施形態の尿とりパッド１Ｅ〜１Ｇの吸収性本体５の肌対向面５ｕ側においては、尿とりパッド１Ａと同様に、吸収性本体５の長手方向（Ｙ方向）に沿う両側部５ｓ，５ｓそれぞれに立体ギャザー８を形成するサイドシート８１を備えている。しかし、第５〜第７実施形態の尿とりパッド１Ｅ〜１Ｇにおいては、尿とりパッド１Ａと異なり、吸収性本体５の非肌対向面５ｄ側に配されるカバーシート６と、吸収性本体５の肌対向面５ｕ側に配されるサイドシート８１とが、１枚のシートで形成されている。このように１枚のシートで形成されていると、尿とりパッド両側部の接合部分からにじみ漏れがあったとしてもシート状センサー１０を濡らしにくい。製造設備の改造等が少なくて済む（材料原反が１つで済む）との効果を奏する。
【００４４】
特に第５実施形態の尿とりパッド１Ｅにおいては、カバーシート６の長手方向（Ｙ方向）に延びる中心線ＣＬ１側の端部６ｆには、図８に示すように、長手方向（Ｙ方向）に伸長状態の第２弾性部材６１が配設固定されており、２枚のカバーシート６，６の端部６ｆ，６ｆ同士が重なっている。
【００４５】
それに対し、第６〜第７実施形態の尿とりパッド１Ｆ〜１Ｇにおいては、図９〜図１０に示すように、カバーシート６の長手方向（Ｙ方向）に延びる中心線ＣＬ１側の端部６ｆには、長手方向（Ｙ方向）に伸長状態の第２弾性部材６１が配設固定されておらず、前記端部６ｆ，６ｆ同士が重なっている。
【００４６】
そして、第５〜第７実施形態の尿とりパッド１Ｅ〜１Ｇにおいては、尿とりパッド１Ａと同様に、接合部７は、吸収性本体５の長手方向（Ｙ方向）の腹側部Ａ側の端部５ａの端縁に沿って接着剤による帯状の第２接合部７２を有し、更に吸収性本体５の長手方向（Ｙ方向）の背側部Ｂ側の端部５ｂの端縁に沿って接着剤による帯状の第３接合部７３を有している。ここで、第５〜第７実施形態の尿とりパッド１Ｅ〜１Ｇにおいては、接合部７の有する、吸収性本体５の長手方向（Ｙ方向）に沿う側部５ｓの側縁に沿って形成される第１接合部７１が、第２接合部７２及び第３接合部７３と同様に、図８〜図１０に示すように、接着剤により形成されていてもよいが、該接着剤の替わりに、上述した１枚のシートで形成されたカバーシート６とサイドシート８１との折り目により形成されていてもよい。
【００４７】
このような折り目により第１接合部７１が形成されている場合、第５〜第７実施形態の尿とりパッド１Ｅ〜１Ｇにおいては、折り目の箇所（第１接合部７１）が、吸収性本体５の長手方向（Ｙ方向）に沿う両側部５ｓ，５ｓに配され、折り目同士が、長手方向（Ｙ方向）に延びる中心線ＣＬ１に対して、互いに対向して配され、そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。尚、第１接合部７１が後述するように接着剤により形成されていなくても、１枚からなるカバーシート６とサイドシート８１との折り目が吸収性本体５の長手方向（Ｙ方向）に沿う側部５ｓに沿って形成され、１枚からなるカバーシート６とサイドシート８１の長手方向（Ｙ方向）の両端部が第２接合部７２及び第３接合部７３で吸収性本体５に接合されて留められていること、折り目が第１接合部７１と成り得る。
【００４８】
また、接着剤により第１接合部７１が形成されている場合、第５〜第７実施形態の尿とりパッド１Ｅ〜１Ｇにおいては、尿とりパッド１Ａと異なり、裏面シート３の非肌対向面とカバーシート６との接合、及び裏面シート３の肌対向面とサイドシート８１との接合が、共通の接合部７（第１接合部７１、第２接合部７２及び第３接合部７３）を介して接合されていてもよい。即ち、接合部７（第１接合部７１、第２接合部７２及び第３接合部７３）が、裏面シート３の長手方向（Ｙ方向）に沿う側部又は裏面シート３の長手方向（Ｙ方向）の端部において、非肌対向面から肌対向面に亘って形成され、接合部７（第１接合部７１、第２接合部７２及び第３接合部７３）を介して、裏面シート３の非肌対向面とカバーシート６とが接合され、裏面シート３の肌対向面とサイドシート８１とが接合されていてもよい。このように第１接合部７１が折り目及び接着剤により形成されていると、にじみ漏れ防止効果を奏し、また、折り目部分の浮きを防止でき見栄えが更によくなる。
【００４９】
特に第５実施形態の尿とりパッド１Ｅにおいて、裏面シート３は、図８に示すように、その長手方向（Ｙ方向）に沿う両側部が、裏面シート３とカバーシート６との間のポケットに収納される、例えばシート状のセンサー１０の長手方向（Ｙ方向）に沿う両側部を覆うように、吸収性本体５の非肌対向面５ｄ側に折り返されている。このように折り返されていると、尿とりパッド両側部の接合部分からにじみ漏れが発生しにくく、シート状センサー１０を濡らしにくいとの効果を奏する。
【００５０】
また、特に第６実施形態の尿とりパッド１Ｆにおいて、裏面シート３は、図９に示すように、その長手方向（Ｙ方向）に沿う両側部が、裏面シート３とカバーシート６との間のポケットに収納される、例えばシート状のセンサー１０の長手方向（Ｙ方向）に沿う両側部を越え、更に、吸収体４の長手方向（Ｙ方向）に沿う両側部を越えてＸ方向に延在している。このように延在していると、体液が尿とりパッドからあふれて裏面側に浸透し難く、シート状センサー１０が濡れることを防げるとの効果を奏する。
【００５１】
更に、特に第７実施形態の尿とりパッド１Ｇにおいて、裏面シート３は、図１０に示すように、その長手方向（Ｙ方向）に沿う両側部が、裏面シート３とカバーシート６との間のポケットに収納される、例えばシート状のセンサー１０の長手方向（Ｙ方向）に沿う両側部を覆うように、吸収性本体５の非肌対向面５ｄ側に折り返され、カバーシート６の端部６ｆの位置まで延在している。このように延在していると、体液が尿とりパッドからあふれて裏面側にきたとしてもシート状センサー１０が濡れることを防げるとの効果を奏する。
【００５２】
次に、第８〜第９実施形態の尿とりパッド１Ｈ〜１Ｉにおいては、図１１〜図１２に示すように、吸収性本体５の非肌対向面５ｄ側に配されるカバーシート６が、１枚からなる。１枚のカバーシート６は、吸収性本体５の裏面シート３と同形同大に形成されている。１枚のカバーシート６は、吸収性本体５の長手方向（Ｙ方向）の両端部５ａ，５ｂにおいて、裏面シート３の非肌対向面と接合部７を介して接合されている。このように、カバーシート６が１枚で形成されているので、製造設備の改造等が少なくて済む（材料原反が１つで済む）との効果を奏する。
【００５３】
第８〜第９実施形態の尿とりパッド１Ｈ〜１Ｉでは、接合部７は、図１１〜図１２に示すように、吸収性本体５の長手方向（Ｙ方向）の腹側部Ａ側の端部５ａの端縁、即ち、裏面シート３の長手方向（Ｙ方向）の腹側部Ａ側の端縁及びカバーシート６の長手方向（Ｙ方向）の腹側部Ａ側の端縁に沿って、カバーシート６の全幅に亘って帯状に配された第２接合部７２を有している。さらに、接合部７は、吸収性本体５の長手方向（Ｙ方向）の背側部Ｂ側の端部５ｂの端縁、即ち、裏面シート３の長手方向（Ｙ方向）の背側部Ｂ側の端縁及びカバーシート６の長手方向（Ｙ方向）の背側部Ｂ側の端縁に沿って、カバーシート６の全幅に亘って帯状に配された第３接合部７３を有している。
【００５４】
上述したように、第８〜第９実施形態の尿とりパッド１Ｈ〜１Ｉでは、吸収性本体５の長手方向（Ｙ方向）の両端部５ａ，５ｂにおいて、それぞれ、裏面シート３とカバーシート６とが接合部７（第２接合部７２及び第３接合部７３）を介して接合されており、接合部７,７同士は、互いに対向して配されている。詳述すると、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
【００５５】
また、第８〜第９実施形態の尿とりパッド１Ｈ〜１Ｉでは、図１１〜図１２に示すように、互いに対向して配された接合部７,７の内の一方は、間隔７４を設けて接合されている。具体的には、幅方向（Ｘ方向）に延びる中心線ＣＬ２に対して、互いに対向して配された第２接合部７２及び第３接合部７３の内の一方の第２接合部７２は、間隔７４を設けて接合されている。即ち、第２接合部７２の間隔７４に対応する部分においては、カバーシート６と裏面シート３とは接合されておらず、間隔７４には、例えばセンサー１０のコード１１が通るようになっている。
【００５６】
特に、第９実施形態の尿とりパッド１Ｉでは、第２接合部７２及び第３接合部７３以外に、図１２に示すように、接合部７は、吸収性本体５の長手方向（Ｙ方向）に沿う一方の側部５ｓの側縁、即ち、裏面シート３の長手方向（Ｙ方向）に沿う一方の側縁及びカバーシート６の長手方向（Ｙ方向）に沿う一方の側縁に沿って、第１接合部７１を１本有している。このように吸収性本体５の長手方向（Ｙ方向）に沿う両側部５ｓ，５ｓの内の一方の側部５ｓにのみ第１接合部７１を有しているので、シート状センサー１０を挿入しやすく、抜け落ちにくいとの効果を奏する。
【００５７】
第８〜第９実施形態の尿とりパッド１Ｈ〜１Ｉでは、図１１〜図１２に示すように、互いに対向して配された接合部７,７の内の一方は、再締結可能に接合されている。具体的には、幅方向（Ｘ方向）に延びる中心線ＣＬ２に対して、互いに対向して配された第２接合部７２及び第３接合部７３の内の一方の第２接合部７２は、再締結可能に接合されている。このように再締結可能に接合されているので、第２接合部７２を開いて、例えばシート状のセンサー１０を裏面シート３とカバーシート６との間のポケットに収納することができるようになり、便利である。特に第８〜第９実施形態の尿とりパッド１Ｈ〜１Ｉでは、第２接合部７２は、間隔７４を設けて接合されており、しかも再締結可能に接合されているので、例えばセンサー１０のコード１１を間隔７４に通し易くなる。
【００５８】
再締結可能に接合する接合手段としては、ファスニングテープが挙げられ、該ファスニングテープのオス部材としては、通常、使い捨ておむつ等の吸収性物品に用いられるものであれば、特に制限なく用いることができる。例えば、オス部材としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。ファスニングテープのオス部材が係合するターゲットとしては、裏面シート３を、液難透過性（撥水性を含む）の樹脂フィルムに不織布を積層したシートで構成しておき、該不織布を、オス部材の係合突起と直接係合可能な係合性に富む不織布とすればよい。
尚、再締結可能に接合する接合手段として、接着剤を用いる場合は、接着強度の弱い接着剤を用いることにより再締結可能に接合することができる。
【００５９】
次に、第１０〜第１１実施形態の尿とりパッド１Ｊ〜１Ｋにおいては、図１３〜図１４に示すように、吸収性本体５の非肌対向面５ｄ側に配されるカバーシート６が、２枚からなる。２枚のカバーシート６,６は、吸収性本体５の長手方向（Ｙ方向）の両端部５ａ，５ｂそれぞれに配されている。具体的には、２枚のカバーシート６,６は、それぞれ、幅方向（Ｘ方向）に長い長方形状を有しており、２枚のカバーシート６,６は、それぞれ、吸収性本体５の両端部５ａ，５ｂにおいて、裏面シート３の非肌対向面と接合部７を介して接合されている。
【００６０】
特に、第１０実施形態の尿とりパッド１Ｊにおいては、図１３に示すように、幅方向（Ｘ方向）に長い長方形状の２枚のカバーシート６,６は、吸収性本体５の幅方向（Ｘ方向）の全長に亘って配されており、長手方向（Ｙ方向）に間隔を置いて配されている。第１０実施形態の尿とりパッド１Ｊにおいては、２枚のカバーシート６，６は、吸収性本体５の長手方向（Ｙ方向）の両端部５ａ，５ｂそれぞれに配され、尿とりパッド１Ｊの幅方向（Ｘ方向）に延びる中心線ＣＬ２に対称に配されている。
【００６１】
第１０実施形態の尿とりパッド１Ｊでは、接合部７は、図１３に示すように、吸収性本体５の長手方向（Ｙ方向）の腹側部Ａ側の端部５ａの端縁、即ち、裏面シート３の長手方向（Ｙ方向）の腹側部Ａ側の端縁及びカバーシート６の長手方向（Ｙ方向）の腹側部Ａ側の端縁に沿って、吸収性本体５の全幅に亘って帯状に配された第２接合部７２を有している。さらに、接合部７は、吸収性本体５の長手方向（Ｙ方向）の背側部Ｂ側の端部５ｂの端縁、即ち、裏面シート３の長手方向（Ｙ方向）の背側部Ｂ側の端縁及びカバーシート６の長手方向（Ｙ方向）の背側部Ｂ側の端縁に沿って、吸収性本体５の全幅に亘って帯状に配された第３接合部７３を有している。
【００６２】
また、第１０実施形態の尿とりパッド１Ｊでは、接合部７は、吸収性本体５の長手方向（Ｙ方向）に沿う側部５ｓの側縁、即ち、裏面シート３の長手方向（Ｙ方向）に沿う側縁及びカバーシート６の長手方向（Ｙ方向）に沿う外側縁に沿って、各カバーシート６の長手方向（Ｙ方向）の全長に亘って帯状に配された第１接合部７１を有している。
【００６３】
上述したように、第１０実施形態の尿とりパッド１Ｊでは、吸収性本体５の長手方向（Ｙ方向）の両端部５ａ，５ｂ及び長手方向（Ｙ方向）に沿う両側部５ｓ，５ｓにおいて、それぞれ、裏面シート３と２枚のカバーシート６，６とが接合部７（第１接合部７１、第２接合部７２及び第３接合部７３）を介して接合されており、接合部７,７同士は、互いに対向して配されている。詳述すると、吸収性本体５の長手方向（Ｙ方向）に沿う両側部５ｓ，５ｓに配された第１接合部７１，７１同士が、長手方向（Ｙ方向）に延びる中心線ＣＬ１に対して、互いに対向して配されている。そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
第１０実施形態の尿とりパッド１Ｊは、上述した構成を有しているので、製造設備の改造等が少なくて済む（例えば、製造工程では、長手方向（Ｙ方向）端部で切断するので、生産効率が良い）との効果を奏する。
【００６４】
また、特に、第１１実施形態の尿とりパッド１Ｋにおいては、図１４に示すように、幅方向（Ｘ方向）に長い長方形状の２枚のカバーシート６,６は、吸収性本体５の内方に配されており、長手方向（Ｙ方向）に間隔を置いて配されている。第１１実施形態の尿とりパッド１Ｋにおいては、２枚のカバーシート６，６は、吸収性本体５の長手方向（Ｙ方向）の両端部５ａ，５ｂそれぞれに配され、尿とりパッド１Ｊの幅方向（Ｘ方向）に延びる中心線ＣＬ２に対称に配されている。
【００６５】
第１１実施形態の尿とりパッド１Ｋでは、接合部７は、図１４に示すように、吸収性本体５の長手方向（Ｙ方向）の腹側部Ａ側の端部５ａの端縁側、即ち、カバーシート６の長手方向（Ｙ方向）の腹側部Ａ側の端縁に沿って、カバーシート６の全幅に亘って帯状に配された第２接合部７２を有している。さらに、接合部７は、吸収性本体５の長手方向（Ｙ方向）の背側部Ｂ側の端部５ｂの端縁側、即ち、カバーシート６の長手方向（Ｙ方向）の背側部Ｂ側の端縁に沿って、カバーシート６の全幅に亘って帯状に配された第３接合部７３を有している。
【００６６】
また、第１１実施形態の尿とりパッド１Ｋでは、接合部７は、吸収性本体５の長手方向（Ｙ方向）に沿う側部５ｓの側縁側、即ち、各カバーシート６の長手方向（Ｙ方向）に沿う側縁に沿って、各カバーシート６の長手方向（Ｙ方向）の全長に亘って帯状に配された第１接合部７１を有している。
【００６７】
上述したように、第１１実施形態の尿とりパッド１Ｋでは、吸収性本体５の長手方向（Ｙ方向）の両端部５ａ，５ｂ及び長手方向（Ｙ方向）に沿う両側部５ｓ，５ｓにおいて、それぞれ、裏面シート３と２枚のカバーシート６，６とが接合部７（第１接合部７１、第２接合部７２及び第３接合部７３）を介して接合されており、接合部７,７同士は、互いに対向して配されている。詳述すると、吸収性本体５の長手方向（Ｙ方向）に沿う両側部５ｓ，５ｓに配された第１接合部７１，７１同士が、長手方向（Ｙ方向）に延びる中心線ＣＬ１に対して、互いに対向して配されている。そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
第１１実施形態の尿とりパッド１Ｋは、上述した構成を有しているので、シート状センサー１０の固定位置にカバーシート６、６を配置しているので、シート状センサー１０を所定位置に取り付けることが容易であるとの効果を奏する。
【００６８】
次に、第１２〜第１３実施形態の尿とりパッド１Ｌ〜１Ｍにおいては、図１５〜図１６に示すように、吸収性本体５の非肌対向面５ｄ側に配されるカバーシート６が、４枚からなる。４枚のカバーシート６,６，６，６は、吸収性本体５の四隅それぞれに配されている。具体的には、４枚のカバーシート６,６，６，６は、それぞれ、直角三角形の形状を有しており、４枚のカバーシート６,６，６，６は、それぞれ、直角の内角が、吸収性本体５の隅に対応するように配され、吸収性本体５の長手方向（Ｙ方向）に沿う側部５ｓ及び吸収性本体５の両端部５ａ，５ｂにおいて、裏面シート３の非肌対向面と接合部７を介して接合されている。
【００６９】
特に、第１２実施形態の尿とりパッド１Ｌにおいては、図１５に示すように、直角三角形状の４枚のカバーシート６,６，６，６は、吸収性本体５の四隅それぞれに一致して配されている。第１２実施形態の尿とりパッド１Ｌにおいては、４枚のカバーシート６,６，６，６は、尿とりパッド１Ｌの長手方向（Ｙ方向）に延びる中心線ＣＬ１に対称に配され、更に尿とりパッド１Ｌの幅方向（Ｘ方向）に延びる中心線ＣＬ２に対称に配されている。
【００７０】
第１２実施形態の尿とりパッド１Ｌでは、接合部７は、図１５に示すように、吸収性本体５の長手方向（Ｙ方向）の腹側部Ａ側の端部５ａの端縁、即ち、裏面シート３の長手方向（Ｙ方向）の腹側部Ａ側の端縁及びカバーシート６の長手方向（Ｙ方向）の腹側部Ａ側の端縁に沿って、カバーシート６の全幅に亘って帯状に配された第２接合部７２を有している。さらに、接合部７は、吸収性本体５の長手方向（Ｙ方向）の背側部Ｂ側の端部５ｂの端縁、即ち、裏面シート３の長手方向（Ｙ方向）の背側部Ｂ側の端縁及びカバーシート６の長手方向（Ｙ方向）の背側部Ｂ側の端縁に沿って、カバーシート６の全幅に亘って帯状に配された第３接合部７３を有している。
【００７１】
また、第１２実施形態の尿とりパッド１Ｌでは、接合部７は、吸収性本体５の長手方向（Ｙ方向）に沿う側部５ｓの側縁、即ち、裏面シート３の長手方向（Ｙ方向）に沿う側縁及びカバーシート６の長手方向（Ｙ方向）に沿う外側縁に沿って、カバーシート６の長手方向（Ｙ方向）の全長に亘って帯状に配された第１接合部７１を有している。
【００７２】
上述したように、第１２実施形態の尿とりパッド１Ｌでは、吸収性本体５の長手方向（Ｙ方向）の両端部５ａ，５ｂ及び長手方向（Ｙ方向）に沿う両側部５ｓ，５ｓにおいて、それぞれ、裏面シート３と４枚のカバーシート６，６，６，６とが接合部７（第１接合部７１、第２接合部７２及び第３接合部７３）を介して接合されており、接合部７,７同士は、互いに対向して配されている。詳述すると、吸収性本体５の長手方向（Ｙ方向）に沿う両側部５ｓ，５ｓに配された第１接合部７１，７１同士が、長手方向（Ｙ方向）に延びる中心線ＣＬ１に対して、互いに対向して配されている。そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
第１２実施形態の尿とりパッド１Ｌは、上述した構成を有しているので、製造設備の改造等が少なくて済む（例えば、製造工程では、長手方向（Ｙ方向）端部で切断するので、生産効率が良い）との効果を奏する。
【００７３】
また、特に、第１３実施形態の尿とりパッド１Ｍにおいては、図１６に示すように、直角三角形状の４枚のカバーシート６,６，６，６は、吸収性本体５の四隅それぞれに対応して、吸収性本体５の内方に配されている。第１３実施形態の尿とりパッド１Ｍにおいては、４枚のカバーシート６,６，６，６は、尿とりパッド１Ｍの長手方向（Ｙ方向）に延びる中心線ＣＬ１に対称に配され、更に尿とりパッド１Ｍの幅方向（Ｘ方向）に延びる中心線ＣＬ２に対称に配されている。
【００７４】
第１３実施形態の尿とりパッド１Ｍでは、接合部７は、図１６に示すように、吸収性本体５の長手方向（Ｙ方向）の腹側部Ａ側の端部５ａの端縁側、即ち、カバーシート６の長手方向（Ｙ方向）の腹側部Ａ側の端縁に沿って、カバーシート６の全幅に亘って帯状に配された第２接合部７２を有している。さらに、接合部７は、吸収性本体５の長手方向（Ｙ方向）の背側部Ｂ側の端部５ｂの端縁側、即ち、カバーシート６の長手方向（Ｙ方向）の背側部Ｂ側の端縁に沿って、カバーシート６の全幅に亘って帯状に配された第３接合部７３を有している。
【００７５】
また、第１３実施形態の尿とりパッド１Ｍでは、接合部７は、吸収性本体５の長手方向（Ｙ方向）に沿う側部５ｓの側縁側、即ち、各カバーシート６の長手方向（Ｙ方向）に沿う側縁に沿って、各カバーシート６の長手方向（Ｙ方向）の全長に亘って帯状に配された第１接合部７１を有している。
【００７６】
上述したように、第１３実施形態の尿とりパッド１Ｍでは、吸収性本体５の長手方向（Ｙ方向）の両端部５ａ，５ｂ及び長手方向（Ｙ方向）に沿う両側部５ｓ，５ｓにおいて、それぞれ、裏面シート３と４枚のカバーシート６，６，６，６とが接合部７（第１接合部７１、第２接合部７２及び第３接合部７３）を介して接合されており、接合部７,７同士は、互いに対向して配されている。詳述すると、吸収性本体５の長手方向（Ｙ方向）に沿う両側部５ｓ，５ｓに配された第１接合部７１，７１同士が、長手方向（Ｙ方向）に延びる中心線ＣＬ１に対して、互いに対向して配されている。そして、吸収性本体５の長手方向（Ｙ方向）の両端部５ａ，５ｂに配された第２接合部７２と第３接合部７３とが、幅方向（Ｘ方向）に延びる中心線ＣＬ２に対して、互いに対向して配されている。
第１３実施形態の尿とりパッド１Ｍは、上述した構成を有しているので、シート状センサー１０の固定位置にカバーシート６を配置しているので、シート状センサー１０を所定位置に取り付けることが容易にできるとの効果を奏する。
【００７７】
本発明の吸収性物品は、上述の第１〜第１３実施形態の尿とりパッド１Ａ〜１Ｍに何ら制限されるものではなく、適宜変更可能である。また、上述の第１〜第１３実施形態の尿とりパッド１Ａ〜１Ｍにおける各構成要件は、本発明の趣旨を損なわない範囲で、適宜組み合わせて実施できる。吸収性本体５は、長方形状に限られず、例えば、羽子板形状やひょうたん形状にすることもできる。
【００７８】
例えば、第１〜第１３実施形態の尿とりパッド１Ａ〜１Ｍにおいては、尿とりパッドの使用時のズレ防止の観点から、カバーシート６の非肌対向面に、尿とりパッド１Ａ〜１Ｍを使い捨ておむつ１００の内側に固定する接着剤が塗工されていてもよい。
【００７９】
また、本発明の吸収性物品は、吸収性パッドの他、幼児又は成人用の展開型又はパンツ型の使い捨ておむつ、生理用ナプキンやパンティライナ等であってもよい。
【００８０】
上述した実施形態に関し、さらに以下の尿とりパッドを開示する。
＜１＞
肌対向面側に配された表面シートと、非肌対向面側に配された裏面シートと、これら両シート間に配された吸収体とを有する縦長の吸収性本体を備えた吸収性物品であって、
前記吸収性物品は、前記吸収性本体の非肌対向面側に一枚以上のカバーシートを備え、
前記吸収性本体の長手方向の両端部又は長手方向に沿う両側部において、それぞれ、前記裏面シートと前記一枚以上のカバーシートとが接合部を介して接合されており、
前記接合部同士は、互いに対向して配されている吸収性物品。
【００８１】
＜２＞
前記吸収性物品は、前記吸収性本体の肌対向面側において、該吸収性本体の長手方向に沿う両側部それぞれに配設固定された撥水性のサイドシートを備え、該サイドシートの自由端部には、該吸収性本体の長手方向に伸長状態の立体ギャザー形成用の弾性部材が配設固定されており、
着用時には、前記立体ギャザー形成用の弾性部材の収縮力によって、前記サイドシートの自由端部が起立して立体ギャザーを形成する前記＜１＞に記載の吸収性物品。
＜３＞
前記吸収性物品は、前記吸収性本体の長手方向に長いシート状のセンサーを、前記裏面シートと前記一枚以上のカバーシートとの間に配して使用される前記＜１＞又は＜２＞に記載の吸収性物品。
＜４＞
互いに対向して配された前記接合部の内の一方は、間隔を設けて接合されており、該間隔に前記センサーのコードが通るようになっている前記＜３＞に記載の吸収性物品。
＜５＞
互いに対向して配された前記接合部の内の一方は、再締結可能に接合されている前記＜１＞〜＜４＞の何れか１に記載の吸収性物品。
＜６＞
前記裏面シートは、液難透過性である前記＜１＞〜＜５＞の何れか１に記載の吸収性物品。
＜７＞
前記一枚以上のカバーシートは、２枚からなり、該２枚のカバーシートは、前記吸収性本体の長手方向に沿う両側部それぞれに配されている前記＜１＞〜＜６＞の何れか１に記載の吸収性物品。
＜８＞
前記２枚のカバーシートの端部同士が面一で重なっている前記＜１＞〜＜７＞の何れか１に記載の吸収性物品。
＜９＞
前記２枚のカバーシートの端部同士が幅方向（Ｘ方向）に間隔を空けて配されている前記＜１＞〜＜７＞の何れか１に記載の吸収性物品。
＜１０＞
前記２枚のカバーシートは、前記吸収性物品の長手方向に延びる中心線側の端部同士が重なっている前記＜１＞〜＜７＞の何れか１に記載の吸収性物品。
＜１１＞
前記吸収性本体の長手方向（Ｙ方向）の両端部においては、前記２枚のカバーシートの端部同士が重なっている部分は、接着剤又は熱融着等によって該カバーシート同士が互いに接合されている前記＜１０＞に記載の吸収性物品。
【００８２】
＜１２＞
前記２枚のカバーシートは、前記吸収性物品の長手方向に延びる中心線側の端部それぞれに、該吸収性本体の長手方向に伸長状態の第２弾性部材が配設固定されている前記＜１＞〜＜１１＞の何れか１に記載の吸収性物品。
＜１３＞
前記立体ギャザー形成用の弾性部材は、その収縮率が、前記第２弾性部材の収縮率よりも大きい前記＜１＞〜＜１２＞の何れか１に記載の吸収性物品。
＜１４＞
前記立体ギャザー形成用の弾性部材の収縮率は、前記第２弾性部材の収縮率の１．０倍以上であることが好ましく、第２弾性部材６１の収縮率の１．２倍以上であることが更に好ましい前記＜１＞〜＜１３＞の何れか１に記載の吸収性物品。
＜１５＞
前記立体ギャザー形成用の弾性部材の収縮率は、前記第２弾性部材の収縮率の２．０倍以下であることが好ましく、第２弾性部材６１の収縮率の１．８倍以下であることが更に好ましい前記＜１＞〜＜１４＞の何れか１に記載の吸収性物品。
＜１６＞
前記一枚以上のカバーシートは、前記吸収性本体の長手方向の両端部それぞれに配され、前記吸収性物品の幅方向に延びる中心線に対称に配されている前記＜１＞〜＜５＞の何れか１に記載の吸収性物品。
＜１７＞
前記吸収性物品は、使い捨ておむつの内側に配されて使用される尿とりパッドであり、前記カバーシートの非肌対向面に、該吸収性物品を前記使い捨ておむつの内側に固定する接着剤が塗工されている前記＜１＞〜＜１６＞の何れか１に記載の吸収性物品。
＜１８＞
前記吸収性本体の非肌対向面側に配されるカバーシートと、該吸収性本体の肌対向面側に配されるサイドシートとが、１枚のシートで形成されている前記＜１＞〜＜１７＞の何れか１に記載の吸収性物品。
＜１９＞
前記裏面シートの非肌対向面と前記カバーシートとの接合、及び該裏面シート３の肌対向面と前記サイドシートとの接合が、共通の接合部（第１接合部、第２接合部及び第３接合部）を介して接合されている前記＜１８＞に記載の吸収性物品。
＜２０＞
前記裏面シートは、その長手方向（Ｙ方向）に沿う両側部が、該裏面シートと前記カバーシートとの間のポケットに収納される、シート状の前記センサーの長手方向（Ｙ方向）に沿う両側部を覆うように、前記吸収性本体の非肌対向面側に折り返されている前記＜１８＞又は＜１９＞に記載の吸収性物品。
＜２１＞
前記裏面シートは、前記カバーシートの端部の位置まで延在している前記＜２０＞に記載の吸収性物品。
【００８３】
＜２２＞
前記吸収性本体の非肌対向面側に配されるカバーシートが、１枚からなり、該１枚のカバーシートは、該吸収性本体の前記裏面シートと同形同大に形成されている前記＜１＞〜＜６＞の何れか１に記載の吸収性物品。
＜２３＞
前記裏面シートの長手方向（Ｙ方向）に沿う一方の側縁及び前記カバーシートの長手方向（Ｙ方向）に沿う一方の側縁に沿って、第１接合部を１本有している前記＜２２＞に記載の吸収性物品。
＜２４＞
前記カバーシートが、２枚からなり、該２枚のカバーシートは、該吸収性本体の長手方向（Ｙ方向）の両端部それぞれに配されている前記＜１＞〜＜６＞の何れか１に記載の吸収性物品。
＜２５＞
幅方向（Ｘ方向）に長い長方形状の前記２枚のカバーシートは、前記吸収性本体の幅方向（Ｘ方向）の全長に亘って配されており、長手方向（Ｙ方向）に間隔を置いて配されている前記＜２４＞に記載の吸収性物品。
＜２６＞
前記接合部は、前記吸収性本体の長手方向（Ｙ方向）に沿う側部の側縁、即ち、前記裏面シートの長手方向（Ｙ方向）に沿う側縁及び前記カバーシートの長手方向（Ｙ方向）に沿う外側縁に沿って、該カバーシートの長手方向（Ｙ方向）の全長に亘って帯状に配された第１接合部を有している前記＜２４＞又は＜２５＞に記載の吸収性物品。
＜２７＞
幅方向（Ｘ方向）に長い長方形状の前記２枚のカバーシートは、前記吸収性本体の内方に配されている前記＜２４＞〜＜２６＞の何れか１に記載の吸収性物品。
＜２８＞
前記カバーシートが、４枚からなり、該４枚のカバーシートは、該吸収性本体の四隅それぞれに配されている前記＜１＞〜＜６＞の何れか１に記載の吸収性物品。
＜２９＞
前記４枚のカバーシートは、それぞれ、直角三角形の形状を有しており、該４枚のカバーシートは、それぞれ、直角の内角が、前記吸収性本体の隅に対応するように配され、該吸収性本体の長手方向（Ｙ方向）に沿う側部及び該吸収性本体の両端部において、前記裏面シートの非肌対向面と前記接合部を介して接合されている前記＜２８＞に記載の吸収性物品。
＜３０＞
前記接合部は、前記吸収性本体の長手方向（Ｙ方向）の腹側部側又は背側部側の端部の端縁に沿って、前記カバーシートの全幅に亘って帯状に配された第３接合部と、
前記吸収性本体の長手方向（Ｙ方向）に沿う側部の側縁に沿って、前記カバーシートの長手方向（Ｙ方向）の全長に亘って帯状に配された第１接合部とを有している前記＜２８＞又は＜２９＞に記載の吸収性物品。
【符号の説明】
【００８４】
１Ａ〜１Ｍ  尿とりパッド
２  表面シート
２ｕ  肌対向面
３  裏面シート
４  吸収体
４１  吸収性コア
４２  コアラップシート
５  吸収性本体
５ｕ  肌対向面
５ｄ  非肌対向面
５ａ  長手方向の腹側部側の端部
５ｂ  長手方向の背側部側の端部
５ｓ  長手方向に沿う側部
６  カバーシート
６１  第２弾性部材
６ｆ  長手方向に延びる中心線側の端部
７  接合部
７１  第１接合部
７２  第２接合部
７３  第３接合部
８  立体ギャザー
８１  サイドシート
８２  弾性部材
８１ｆ  自由端部
１０  シート状のセンサー
１１  コード
１００  使い捨ておむつ
１０２  おむつ表面シート
１０３  おむつ裏面シート
１０４  おむつ吸収体
１０５  おむつレッグギャザー
１０６  ファスニングテープ
Ａ  腹側部，Ｂ  背側部，Ｃ  股下部
ＣＬ１  長手方向に延びる中心線
ＣＬ２  幅方向に延びる中心線
【図１】
2015027322.tif 000003
【図２】
2015027322.tif 000004
【図３】
2015027322.tif 000005
【図４】
2015027322.tif 000006
【図５】
2015027322.tif 000007
【図６】
2015027322.tif 000008
【図７】
2015027322.tif 000009
【図８】
2015027322.tif 000010
【図９】
2015027322.tif 000011
【図１０】
2015027322.tif 000012
【図１１】
2015027322.tif 000013
【図１２】
2015027322.tif 000014
【図１３】
2015027322.tif 000015
【図１４】
2015027322.tif 000016
【図１５】
2015027322.tif 000017
【図１６】
2015027322.tif 000018